【手続補正書】
【提出日】平成27年8月27日(2015.8.27)
【手続補正１】
【補正対象書類名】特許請求の範囲
【補正対象項目名】全文
【補正方法】変更
【補正の内容】
【特許請求の範囲】
【請求項１】
被検眼の偏光断層画像としてＤＯＰＵ画像とリターデーション画像とを取得する断層画像取得手段と、
前記ＤＯＰＵ画像において前記被検眼の網膜色素上皮層を含む領域を抽出し、前記リターデーション画像において前記被検眼の網膜神経線維層を含む領域を抽出する抽出手段と、
を有することを特徴とする画像処理装置。
【請求項２】
前記抽出された網膜色素上皮層を含む領域と前記抽出された網膜神経線維層を含む領域とを異なる表示形態で前記被検眼の断層輝度画像に重ねて表示手段に表示させる表示制御手段を更に有することを特徴とする請求項１に記載の画像処理装置。
【請求項３】
前記被検眼の断層輝度画像において、前記抽出された網膜色素上皮層を含む領域と前記抽出された網膜神経線維層を含む領域とに対応する前記被検眼の深さ方向の異なる位置を示す指標を表示手段に表示させる表示制御手段を更に有することを特徴とする請求項１に記載の画像処理装置。
【請求項４】
前記被検眼の網膜色素上皮層を含む領域の基準線を推定する推定手段と、
前記基準線に対して前記被検眼の深さ方向の異なる位置毎に異なる表示形態を表示手段に表示させる表示制御手段と、
を更に有することを特徴とする請求項１に記載の画像処理装置。
【請求項５】
前記抽出された網膜色素上皮層を含む領域と前記抽出された網膜神経線維層を含む領域との少なくとも１つを選択する選択手段と、
前記選択された少なくとも１つの領域を表示手段に表示させる表示制御手段と、
を更に有することを特徴とする請求項１に記載の画像処理装置。
【請求項６】
前記抽出された網膜色素上皮層を含む領域と前記抽出された網膜神経線維層を含む領域との距離を算出する算出手段を更に有することを特徴とする請求項１乃至５のいずれか１項に記載の画像処理装置。
【請求項７】
前記抽出手段は、前記抽出された網膜色素上皮層を含む領域を用いることにより、前記被検眼の断層輝度画像において網膜色素上皮層を抽出するための閾値として利用することを特徴とする請求項１乃至６のいずれか１項に記載の画像処理装置。
【請求項８】
前記抽出手段は、前記抽出された網膜色素上皮層を含む領域を用いることにより、前記被検眼の断層輝度画像において網膜色素上皮層を抽出するための初期位置として利用することを特徴とする請求項１乃至６のいずれか１項に記載の画像処理装置。
【請求項９】
前記抽出手段は、前記抽出された網膜色素上皮層を含む領域の有無に応じて、前記被検眼の断層輝度画像における網膜色素上皮層を補間することにより、前記断層輝度画像において網膜色素上皮層を抽出することを特徴とする請求項１乃至８のいずれか１項に記載の画像処理装置。
【請求項１０】
前記断層画像取得手段が、測定光を照射した前記被検眼からの戻り光と前記測定光に対応する参照光とを合波した光を分割して得た互いに異なる偏光の光に基づいて、前記偏光断層画像を取得することを特徴とする請求項１乃至９のいずれか１項に記載の画像処理装置。
【請求項１１】
被検体の偏光断層画像における偏光解消領域を抽出する抽出手段と、
前記抽出された偏光解消領域を用いて基準線を推定する推定手段と、
前記偏光解消領域のうち、前記推定された基準線よりも深い位置の領域と浅い位置の領域とを異なる表示形態で表示手段に表示させる表示制御手段と、
を有することを特徴とする画像処理装置。
【請求項１２】
前記抽出手段は、前記被検体の断層輝度画像における前記抽出された偏光解消領域の位置の輝度値に基づいて決定された閾値を用いて、前記断層輝度画像における所定の領域を抽出し、
前記推定手段は、前記抽出された所定の領域を用いて前記基準線を推定することを特徴とする請求項１１に記載の画像処理装置。
【請求項１３】
前記推定手段は、前記抽出された偏光解消領域から異常領域を除いた領域を用いて前記基準線を推定することを特徴とする請求項１１または１２に記載の画像処理装置。
【請求項１４】
前記抽出された偏光解消領域の各点の曲率値を算出する算出手段と、
前記算出された各点の曲率値のうち、所定の範囲外の曲率値である領域を前記異常領域として決定する決定手段と、
を更に有することを特徴とする請求項１３に記載の画像処理装置。
【請求項１５】
被検体の偏光断層画像における偏光解消領域を抽出し、前記抽出された偏光解消領域の一部を用いて前記被検体の断層輝度画像において所定の領域を抽出する抽出手段を有することを特徴とする画像処理装置。
【請求項１６】
前記抽出手段が、前記抽出された偏光解消領域の一部の位置に対応する前記断層輝度画像の位置の輝度値に基づいて決定された閾値を用いて、前記断層輝度画像において前記所定の領域を抽出することを特徴とする請求項１５に記載の画像処理装置。
【請求項１７】
前記抽出された所定の領域を前記断層輝度画像に重ねて表示手段に表示させる表示制御手段を更に有することを特徴とする請求項１５または１６に記載の画像処理装置。
【請求項１８】
前記偏光断層画像と前記抽出された所定の領域が重ねられた前記断層輝度画像とのいずれかを選択する選択手段と、
前記選択された画像を表示手段に表示させる表示制御手段と、
を更に有することを特徴とする請求項１５または１６に記載の画像処理装置。
【請求項１９】
前記被検体が、被検眼であり、
前記偏光断層画像が、ＤＯＰＵ画像であり、
前記抽出手段が、前記ＤＯＰＵ画像において前記被検眼の網膜色素上皮層を含む領域を前記偏光解消領域として抽出することを特徴とする請求項１１乃至１８のいずれか１項に記載の画像処理装置。
【請求項２０】
測定光を照射した前記被検体からの戻り光と前記測定光に対応する参照光とを合波した合波光を分割して得た互いに異なる偏光の光を検出する検出手段を有する撮影装置に通信可能に接続され、
前記検出された光に基づいて前記偏光断層画像を取得する断層画像取得手段を更に有することを特徴とする請求項１１乃至１９のいずれか１項に記載の画像処理装置。
【請求項２１】
測定光を照射した被検体からの戻り光と前記測定光に対応する参照光とを合波した合波光を分割して得た互いに異なる偏光の光を検出する検出手段と、
前記検出された光に基づいて、前記被検体の偏光解消領域を抽出する第１の抽出手段と、
前記検出された光に基づいて、前記被検体の断層輝度画像を取得する断層画像取得手段と、
前記取得された断層輝度画像における前記抽出された偏光解消領域の位置の輝度値を用いて閾値を決定する決定手段と、
前記決定された閾値を用いて前記取得された断層輝度画像における所定の領域を抽出する第２の抽出手段と、
を有することを特徴とする撮影装置。
【請求項２２】
前記被検体は、被検眼であり、
前記第２の抽出手段は、前記被検眼の網膜色素上皮層を前記所定の領域として抽出することを特徴とする請求項２１に記載の撮影装置。
【請求項２３】
被検眼の偏光断層画像としてＤＯＰＵ画像とリターデーション画像とを取得する工程と、
前記ＤＯＰＵ画像において前記被検眼の網膜色素上皮層を含む領域を抽出し、前記リターデーション画像において前記被検眼の網膜神経線維層を含む領域を抽出する工程と、
を有することを特徴とする画像処理装置の制御方法。
【請求項２４】
被検体の偏光断層画像における偏光解消領域を抽出する工程と、
前記抽出された偏光解消領域を用いて基準線を推定する工程と、
前記偏光解消領域のうち、前記推定された基準線よりも深い位置の領域と浅い位置の領域とを異なる表示形態で表示手段に表示させる工程と、
を有することを特徴とする画像処理装置の制御方法。
【請求項２５】
被検体の偏光断層画像における偏光解消領域を抽出し、前記抽出された偏光解消領域を用いて前記被検体の断層輝度画像において所定の領域を抽出する工程を有することを特徴とする画像処理装置の制御方法。
【請求項２６】
測定光を照射した被検体からの戻り光と前記測定光に対応する参照光とを合波した合波光を分割して得た互いに異なる偏光の光を検出する工程と、
前記検出された光に基づいて、前記被検体の偏光解消領域を抽出する工程と、
前記検出された光に基づいて、前記被検体の断層輝度画像を取得する工程と、
前記取得された断層輝度画像における前記抽出された偏光解消領域の位置の輝度値を用いて閾値を決定する工程と、
前記決定された閾値を用いて前記取得された断層輝度画像における所定の領域を抽出する工程と、
を有することを特徴とする撮影装置の制御方法。
【請求項２７】
請求項２３乃至２６のいずれか１項に記載の制御方法の各工程をコンピュータに実行させることを特徴とするプログラム。
【手続補正２】
【補正対象書類名】明細書
【補正対象項目名】０００７
【補正方法】変更
【補正の内容】
【０００７】
本発明に係る画像処理装置の一つは、
被検眼の偏光断層画像としてＤＯＰＵ画像とリターデーション画像とを取得する断層画像取得手段と、
前記ＤＯＰＵ画像において前記被検眼の網膜色素上皮層を含む領域を抽出し、前記リターデーション画像において前記被検眼の網膜神経線維層を含む領域を抽出する抽出手段と、を有する。